(57)【要約】  無線通信システムにおけるアウターループ電力制御のための方法は、巡回冗長検査（ＣＲＣ）が利用可能かどうかを決定することによって開始する。ＣＲＣが利用可能であるならば、この方法は、符号化コンポジットトランスポートチャネル（ＣＣＴｒＣＨ）の目標信号対干渉比（ＳＩＲ）に対する調整を計算するためにＣＲＣを使用する。ＣＲＣが利用可能でないならば、その場合は、ＣＣＴｒＣＨの品質測定が行われる。このＣＣＴｒＣＨの品質測定は、目標ＳＩＲに対する調整を計算するために使用され、その後、目標ＳＩＲが更新される。
2007500973.tif 000002
【特許請求の範囲】
【請求項１】
無線通信システムにおけるアウターループ電力制御の方法であって、
巡回冗長検査（ＣＲＣ）が利用可能かどうかを決定し、前記ＣＲＣが利用可能であるならば、符号化コンポジットトランスポートチャネル（ＣＣＴｒＣＨ）の目標信号対干渉比（ＳＩＲ）に対する調整を計算するために、前記ＣＲＣを使用するステップと、
前記ＣＲＣが利用可能でないならば、
前記ＣＣＴｒＣＨの品質測定を行うステップと、
前記目標ＳＩＲに対する調整を計算するために前記品質測定を使用するステップと、
前記目標ＳＩＲを更新するステップと、
を備えることを特徴とする方法。
【請求項２】
無線通信システムにおけるアウターループ電力制御の方法であって、
巡回冗長検査（ＣＲＣ）が利用可能かどうかを決定し、前記ＣＲＣが利用可能であるならば、符号化コンポジットトランスポートチャネル（ＣＣＴｒＣＨ）の目標信号対干渉比（ＳＩＲ）に対する調整を計算するために前記ＣＲＣを使用するステップと、
前記ＣＲＣが利用可能でないならば、その場合は、前記目標ＳＩＲにいかなる変更も施さず、ＣＲＣが利用可能になるのを待機するステップと、
を備えることを特徴とする方法。
【請求項３】
無線通信システムにおけるアウターループ電力制御の方法であって、
巡回冗長検査（ＣＲＣ）が利用可能かどうかを決定し、前記ＣＲＣが利用可能であるならば、符号化コンポジットトランスポートチャネル（ＣＣＴｒＣＨ）の目標信号対干渉比（ＳＩＲ）に対する調整を計算するために前記ＣＲＣを使用するステップと、
前記ＣＲＣが利用可能でないならば、その場合は、以前の使用値および初期値のうちの１つに、前記目標ＳＩＲを変更するステップと、
を備えることを特徴とする方法。
【請求項４】
無線通信システムにおいて使用する無線送受信ユニットであって、
巡回冗長検査（ＣＲＣ）が利用可能かどうかを決定する決定手段と、
符号化コンポジットトランスポートチャネル（ＣＣＴｒＣＨ）の品質値を測定する測定手段と、
利用可能であるならば、前記ＣＲＣを使用し、前記ＣＲＣが利用可能でないならば、前記測定品質値を使用して、前記ＣＣＴｒＣＨの目標信号対干渉比（ＳＩＲ）に対する調整を計算する計算手段と、
前記計算された調整に基づいて、アウターループ電力制御のために使用される前記目標ＳＩＲを更新する更新手段と、
を備えることを特徴とする無線送受信ユニット。
【請求項５】
無線通信システムにおいて使用する無線送受信ユニットであって、
巡回冗長検査（ＣＲＣ）が利用可能かどうかを決定する決定手段と、
利用可能であるならば、前記ＣＲＣを使用して、符号化コンポジットトランスポートチャネルの目標信号対干渉比（ＳＩＲ）に対する調整を計算する計算手段であって、前記ＣＲＣが利用可能でないならば、前記計算手段は動作しないことと、
前記計算された調整に基づいて、アウターループ電力制御のために使用される前記目標ＳＩＲを更新する更新手段と、
を備えることを特徴とする無線送受信ユニット。
【請求項６】
無線通信システムにおいて使用する無線送受信ユニットであって、
巡回冗長検査（ＣＲＣ）が利用可能かどうかを決定する決定手段と、
利用可能であるならば、前記ＣＲＣを使用して、符号化コンポジットトランスポートチャネルの目標信号対干渉比（ＳＩＲ）に対する調整を計算する計算手段と、
前記ＣＲＣが利用可能でない場合に動作をして、前記目標ＳＩＲを以前の使用値および初期値のうちの１つに変更する変更手段と、
アウターループ電力制御のために使用される前記目標ＳＩＲを更新する更新手段と、
を備えることを特徴とする無線送受信ユニット。
【請求項７】
無線通信システムにおいて使用する基地局であって、
巡回冗長検査（ＣＲＣ）が利用可能かどうかを決定する決定手段と、
符号化コンポジットトランスポートチャネル（ＣＣＴｒＣＨ）の品質値を測定する測定手段と、
利用可能であるならば、前記ＣＲＣを使用し、前記ＣＲＣが利用可能でないならば、前記測定品質値を使用して、前記ＣＣＴｒＣＨの目標信号対干渉比（ＳＩＲ）に対する調整を計算する計算手段と、
前記計算された調整に基づいて、アウターループ電力制御のために使用される前記目標ＳＩＲを更新する更新手段と、
を備えることを特徴とする基地局。
【請求項８】
無線通信システムにおいて使用する基地局であって、
巡回冗長検査（ＣＲＣ）が利用可能かどうかを決定する決定手段と、
利用可能であるならば、前記ＣＲＣを使用して、符号化コンポジットトランスポートチャネルの目標信号対干渉比（ＳＩＲ）に対する調整を計算する計算手段であって、前記ＣＲＣが利用可能でないならば、前記計算手段は動作しないことと、
前記計算された調整に基づいて、アウターループ電力制御のために使用される前記目標ＳＩＲを更新する更新手段と、
を備えることを特徴とする基地局。
【請求項９】
無線通信システムにおいて使用する基地局であって、
巡回冗長検査（ＣＲＣ）が利用可能かどうかを決定する決定手段と、
利用可能であるならば、前記ＣＲＣを使用して、符号化コンポジットトランスポートチャネルの目標信号対干渉比（ＳＩＲ）に対する調整を計算する計算手段と、
前記ＣＲＣが利用可能でない場合に動作をして、前記目標ＳＩＲを以前の使用値および初期値のうちの１つに変更する変更手段と、
アウターループ電力制御のために使用される前記目標ＳＩＲを更新する更新手段と、
を備えることを特徴とする基地局。
【請求項１０】
無線通信システムにおいて使用する無線ネットワーク制御装置であって、
巡回冗長検査（ＣＲＣ）が利用可能かどうかを決定する決定手段と、
符号化コンポジットトランスポートチャネル（ＣＣＴｒＣＨ）の品質値を測定する測定手段と、
利用可能であるならば、前記ＣＲＣを使用し、前記ＣＲＣが利用可能でないならば、前記測定品質値を使用して、前記ＣＣＴｒＣＨの目標信号対干渉比（ＳＩＲ）に対する調整を計算する計算手段と、
前記計算された調整に基づいて、アウターループ電力制御のために使用される前記目標ＳＩＲを更新する更新手段と、
を備えることを特徴とする無線ネットワーク制御装置。
【請求項１１】
無線通信システムにおいて使用する無線ネットワーク制御装置であって、
巡回冗長検査（ＣＲＣ）が利用可能かどうかを決定する決定手段と、
利用可能であるならば、前記ＣＲＣを使用して、符号化コンポジットトランスポートチャネルの目標信号対干渉比（ＳＩＲ）に対する調整を計算する計算手段であって、前記ＣＲＣが利用可能でないならば、前記計算手段は動作しないことと、
前記計算された調整に基づいて、アウターループ電力制御のために使用される前記目標ＳＩＲを更新する更新手段と、
を備えることを特徴とする無線ネットワーク制御装置。
【請求項１２】
無線通信システムにおいて使用する無線ネットワーク制御装置であって、
巡回冗長検査（ＣＲＣ）が利用可能かどうかを決定する決定手段と、
利用可能であるならば、前記ＣＲＣを使用して、符号化コンポジットトランスポートチャネルの目標信号対干渉比（ＳＩＲ）に対する調整を計算する計算手段と、
前記ＣＲＣが利用可能でない場合に動作をして、前記目標ＳＩＲを以前の使用値および初期値のうちの１つに変更する変更手段と、
アウターループ電力制御のために使用される前記目標ＳＩＲを更新する更新手段と、
を備えることを特徴とする無線ネットワーク制御装置。
【請求項１３】
無線通信システムにおいて使用する集積回路であって、
巡回冗長検査（ＣＲＣ）が利用可能かどうかを決定する決定手段と、
符号化コンポジットトランスポートチャネル（ＣＣＴｒＣＨ）の品質値を測定する測定手段と、
利用可能であるならば、前記ＣＲＣを使用し、前記ＣＲＣが利用可能でないならば、前記測定品質値を使用して、前記ＣＣＴｒＣＨの目標信号対干渉比（ＳＩＲ）に対する調整を計算する計算手段と、
アウターループ電力制御のために使用される前記目標ＳＩＲを更新する更新手段と、
を備えることを特徴とする集積回路。
【請求項１４】
無線通信システムにおいて使用する集積回路であって、
巡回冗長検査（ＣＲＣ）が利用可能かどうかを決定する決定手段と、
利用可能であるならば、前記ＣＲＣを使用して、符号化コンポジットトランスポートチャネルの目標信号対干渉比（ＳＩＲ）に対する調整を計算する計算手段であって、前記ＣＲＣが利用可能でないならば、前記計算手段は動作しないことと、
前記計算された調整に基づいて、アウターループ電力制御のために使用される前記目標ＳＩＲを更新する更新手段と、
を備えることを特徴とする集積回路。
【請求項１５】
無線通信システムにおいて使用する集積回路であって、
巡回冗長検査（ＣＲＣ）が利用可能かどうかを決定する決定手段と、
利用可能であるならば、前記ＣＲＣを使用して、符号化コンポジットトランスポートチャネルの目標信号対干渉比（ＳＩＲ）に対する調整を計算する計算手段と、
前記ＣＲＣが利用可能でない場合に動作をして、前記目標ＳＩＲを以前の使用値および初期値のうちの１つに変更する変更手段と、
アウターループ電力制御のために使用される前記目標ＳＩＲを更新する更新手段と、
を備えることを特徴とする集積回路。
【発明の詳細な説明】
【技術分野】
【０００１】
本発明は、巡回冗長検査以外の測定を使用する電力制御アルゴリズムを備える通信システムに関する。
【背景技術】
【０００２】
第３世代広帯域符号分割多元接続（３Ｇ  Ｗ−ＣＤＭＡ）システムは、リンク適応方法として電力制御を使用する。最小送信電力レベルでサービス品質（ＱｏＳ）を達成し、これによってシステム内の干渉レベルを抑制するために、専用物理チャネル（ＤＰＣＨ：ｄｅｄｉｃａｔｅｄ  ｐｈｙｓｉｃａｌ  ｃｈａｎｎｅｌ）の送信電力が調整されるように、ＤＰＣＨに対して動的な電力制御が適用される。ＤＰＣＨの送信電力制御は、並行して動作する２つのプロセス、すなわちインナーループ電力制御（ＩＬＰＣ：ｉｎｎｅｒ  ｌｏｏｐ  ｐｏｗｅｒ  ｃｏｎｔｒｏｌ）およびアウターループ電力制御（ＯＬＰＣ：ｏｕｔｅｒ  ｌｏｏｐ  ｐｏｗｅｒ  ｃｏｎｔｒｏｌ）に分けることができる。ＩＬＰＣアルゴリズムは、各ＤＰＣＨの受信信号対干渉比（ＳＩＲ：ｓｉｇｎａｌ  ｔｏ  ｉｎｔｅｒｆｅｒｅｎｃｅ  ｒａｔｉｏ）を目標ＳＩＲにできるだけ近く維持するために、送信電力を制御する。ＯＬＰＣアルゴリズムは、受信品質を目標品質にできるだけ近く維持するために、符号化コンポジットトランスポートチャネル（ＣＣＴｒＣＨ：ｃｏｄｅｄ  ｃｏｍｐｏｓｉｔｅ  ｔｒａｎｓｐｏｒｔ  ｃｈａｎｎｅｌ）当たりの目標ＳＩＲを制御するが、これは、ＯＬＰＣの出力がＩＬＰＣで使用される更新された目標ＳＩＲであることを意味する。
【０００３】
リアルタイム（ＲＴ）および非リアルタイム（ＮＲＴ）ＣＣＴｒＣＨのどちらの場合も、最初にＯＬＰＣアルゴリズムは、ブロック誤り率（ＢＬＥＲ：ｂｌｏｃｋ  ｅｒｒｏｒ  ｒａｔｅ）など、与えられたＣＣＴｒＣＨのために必要とされる目標品質に基づいて、ＢＬＥＲとＳＩＲの間の固定マッピングを使用して、目標ＳＩＲを設定する。次にＯＬＰＣアルゴリズムは、与えられたＣＣＴｒＣＨ内の各トランスポートチャネル（ＴｒＣＨ：ｔｒａｎｓｐｏｒｔ  ｃｈａｎｎｅｌ）の巡回冗長検査（ＣＲＣ：ｃｙｃｌｉｃ  ｒｅｄｕｎｄａｎｃｙ  ｃｈｅｃｋ）を使用して、目標ＳＩＲを調整する。言い換えると、ＯＬＰＣアルゴリズムは、ＣＣＴｒＣＨ上でＣＲＣ結果を検査し、目標ＳＩＲをしかるべく上下させて調整する。目標ＳＩＲ値は、ＣＣＴｒＣＨ全体に適用される。受信品質を測定するその他の手法もあるだろうが、ＣＲＣ結果の使用は簡単かつ信頼性の高い手法としてよく知られていることを指摘しておく。
【発明の開示】
【発明が解決しようとする課題】
【０００４】
しかしながら、ＣＣＴｒＣＨに対してＣＲＣが利用可能でない場合が存在する。そのような場合は、ＣＣＴｒＣＨ内にＣＲＣ結果を有する利用可能なＴｒＣＨが存在しない場合、またはＣＣＴｒＣＨが完全に存在しない場合に起こる。ＣＣＴｒＣＨが完全に存在しない場合は、不連続送信（ＤＴＸ：ｄｉｓｃｏｎｔｉｎｕｏｕｓ  ｔｒａｎｓｍｉｓｓｉｏｎ）と呼ばれる。ＣＲＣ結果が利用可能でない場合、またはＣＣＴｒＣＨが完全に存在しない場合、ＣＲＣベースのＯＬＰＣアルゴリズムは、目標ＳＩＲを継続的に更新することができないかもしれない。これは、性能の劣化をもたらし得る。
【課題を解決するための手段】
【０００５】
本発明は、符号化コンポジットトランスポートチャネル（ＣＣＴｒＣＨ）上に巡回冗長検査（ＣＲＣ）結果がない場合に目標信号対干渉比（ＳＩＲ）を調整するためのアウターループ電力制御（ＯＬＰＣ）の複数の方法を提示する。第１の方法は、目標ＳＩＲを調整するため、ＣＲＣ結果の代わりに受信信号品質測定を使用する。第２の方法は、ＣＲＣ結果が利用可能でない場合は、目標ＳＩＲを一定に保持する。第３の方法では、目標ＳＩＲは、経過時間に応じて、初期アウターループステージに戻ることができる。
【０００６】
無線通信システムで使用される無線送受信ユニット（ＷＴＲＵ）は、巡回冗長検査（ＣＲＣ）が利用可能かどうかを決定する決定手段と、符号化コンポジットトランスポートチャネル（ＣＣＴｒＣＨ）の品質値を測定する測定手段と、ＣＣＴｒＣＨの目標信号対干渉比（ＳＩＲ）に対する調整を計算する計算手段と、アウターループ電力制御のために使用される目標ＳＩＲを、計算された調整に基づいて更新する更新手段とを含む。計算手段は、利用可能であるならば、ＣＲＣを使用し、ＣＲＣが利用可能でないならば、測定品質値を使用する。
【０００７】
ＣＲＣが利用可能であるならば、計算手段は、ＣＲＣ値を使用する。ＣＲＣが利用可能でないならば、３つの選択肢が存在し、計算手段は測定品質値を使用するか、計算手段は動作しないか、または目標ＳＩＲが以前の使用値もしくは初期値に変更される。最後の選択肢が使用される場合、ＷＴＲＵは、目標ＳＩＲを変更する変更手段も含む。
【０００８】
基地局、無線ネットワーク制御装置、および集積回路も、上で説明された無線送受信ユニットと同様の方法で構成されることができる。
【０００９】
本発明のより詳細な理解は、例として与えられ、添付の図面と併せて理解される、好ましい実施形態についての以下の説明から得られるであろう。
【発明を実施するための最良の形態】
【００１０】
これ以降、無線送受信ユニット（ＷＴＲＵ：ｗｉｒｅｌｅｓｓ  ｔｒａｎｓｍｉｔ／ｒｅｃｅｉｖｅ  ｕｎｉｔ）は、ユーザ機器、移動局、固定もしくは移動加入者ユニット、ページャ、または無線環境で動作可能なその他の任意のタイプの装置を含むが、これらに限定されない。これ以降で言及される場合、基地局は、ノードＢ、サイトコントローラ、アクセスポイント、または無線環境におけるその他の任意のタイプのインターフェース装置を含むが、これらに限定されない。
【００１１】
本発明は、符号化コンポジットトランスポートチャネル（ＣＣＴｒＣＨ）上に巡回冗長検査（ＣＲＣ）結果がない場合に、目標信号対干渉比（ＳＩＲ）を調整するためのアウターループ電力制御（ＯＬＰＣ）の複数の方法を提示する。３Ｇ  Ｗ−ＣＤＭＡ環境との関連で説明されるが、本発明は、ＯＬＰＣまたはその変形を使用する任意の環境にも適用可能である。
【００１２】
図１は、本発明に従って構成されたＷＴＲＵ１００のブロック図である。本発明は、アップリンク電力制御のために基地局または無線ネットワーク制御装置（ＲＮＣ：ｒａｄｉｏ  ｎｅｔｗｏｒｋ  ｃｏｎｔｒｏｌｌｅｒ）にも適用されることができる。そのような環境では、以下の説明は、「アップリンク」および「ダウンリンク」という用語を交換することによって、同じように適用されることができる。以下の構成要素は、特定用途向けＩＣ（ＡＳＩＣ）などの集積回路（ＩＣ）、複数のＩＣ、個別の部品、またはそれらの組合せとして実装されることができる。ＷＴＲＵ１００は、ＲＲＣ制御装置１０４を有する無線リソース制御（ＲＲＣ：ｒａｄｉｏ  ｒｅｓｏｕｒｃｅ  ｃｏｎｔｒｏｌ）レイヤ１０２を含む。ＷＴＲＵ１００と通信を行う基地局（ノードＢ）を介するＲＮＣからのＲＲＣ信号メッセージ１０６は、ＲＲＣ制御装置１０４によって受信される。
【００１３】
ＷＴＲＵ１００は、物理レイヤ１１０も含み、物理レイヤ１１０は、ＲＲＣ制御装置１０４によって制御／構成される。ＤＰＣＨ構成制御装置１１２は、ＲＲＣ制御装置１０４からコマンドを受け取る。ＤＰＣＨ構成制御装置１１２は、ＯＬＰＣ装置１１４に情報を提供し、ＯＬＰＣ装置１１４は、初期ＢＬＥＲ−ＳＩＲ目標マッピング装置（ｉｎｉｔｉａｌ  ＢＬＥＲ  ｔｏ  ＳＩＲ  ｔａｒｇｅｔ  ｍａｐｐｉｎｇ  ｄｅｖｉｃｅ）１１６と、目標ＳＩＲ調整装置１１８とを含む。
【００１４】
ダウンリンク専用物理データチャネル（ＤＰＤＣＨ：ｄｏｗｎｌｉｎｋ  ｄｅｄｉｃａｔｅｄ  ｐｈｙｓｉｃａｌ  ｄａｔａ  ｃｈａｎｎｅｌ）１２０は、物理レイヤ１１０によって受信され、ＣＲＣ検査装置１２２によってＣＲＣを計算する際およびＳＩＲ測定装置１２４によってチャネルのＳＩＲを測定する際に使用される情報を含む。ＣＲＣ（利用可能ならば）およびＳＩＲ測定値は共に、ＯＬＰＣ装置１１４に渡される。その他の品質測定１２６が行われ、ＯＬＰＣ装置１１４に渡される。ＯＬＰＣ装置は、ＤＰＣＨ構成制御装置１１２、ＣＲＣ検査装置１２２（利用可能ならば）、ＳＩＲ測定装置１２４、およびその他の品質測定１２６からの入力を受け入れ、目標ＳＩＲ調整値を生成し、目標ＳＩＲ調整値は、目標ＳＩＲ／差分ＳＩＲ加算器（ｔａｒｇｅｔ  ＳＩＲ／ｄｅｌｔａ  ＳＩＲ  ａｄｄｅｒ）１２８に送られる。
【００１５】
加算器１２８は、圧縮モード差分ＳＩＲ計算装置（ｃｏｍｐｒｅｓｓｅｄ  ｍｏｄｅ  ｄｅｌｔａ  ＳＩＲ  ｃａｌｃｕｌａｔｉｏｎ  ｄｅｖｉｃｅ）１３０から差分ＳＩＲ値を受け取り、圧縮モード差分ＳＩＲ計算装置１３０は、ＤＰＣＨ構成制御装置１１２から情報を受け取る。加算器１２８は、ＳＩＲ調整値をＩＬＰＣ装置１３２に提供し、ＩＬＰＣ装置１３２は、ノードＢに送信されるアップリンク１３４に送信電力制御コマンドを供給する。
【００１６】
図２は、本発明による目標ＳＩＲ値を調整する方法２００のフローチャートである。方法２００は、ＣＲＣ結果が利用可能かどうかを決定することによって開始する（ステップ２０２）。ＣＲＣ結果が利用可能であるならば、その場合は、目標ＳＩＲに対する調整を計算するのにそのＣＲＣ結果が使用され（ステップ２０４）、そして、方法２００は終了する（ステップ２０６）。ＣＲＣ結果が利用可能でないならば（ステップ２０２）、ＣＲＣ結果がない場合に目標ＳＩＲを調整するためのアルゴリズムが選択される（ステップ２０８）。
【００１７】
第１のアルゴリズムでは、品質測定が行われる（ステップ２１０）。目標ＳＩＲに対する調整を計算するのにその品質測定が使用される（ステップ２１２）。目標ＳＩＲが更新され（ステップ２１４）、方法はさらに次の更新のためにステップ２０２に戻る。そのＣＣＴｒＣＨに関連する無線リンクの受信信号品質を示すために品質測定が使用される。品質測定は、パイロットチャネルの受信電力測定、またはパイロットビットもしくはデータビットに基づく生のビット誤り率（ＢＥＲ：ｂｉｔ  ｅｒｒｏｒ  ｒａｔｅ）測定を含むことができる。パイロットチャネルに基づくチャネルインパルス応答（ｃｈａｎｎｅｌ  ｉｍｐｕｌｓｅ  ｒｅｓｐｏｎｓｅ）も信号品質測定として使用することができる。
【００１８】
ＯＬＰＣは、ＣＲＣ結果の代わりに、そのＣＣＴｒＣＨに関連する無線リンクの受信品質を示すその他の何らかの測定情報に依存することもできる。例えば、ＯＬＰＣは、受信信号電力測定またはパイロットチャネルのチャネルインパルス応答から、チャネルタイプおよびチャネル変動のような無線チャネル状態をトレースすることができる。その場合、ＯＬＰＣアルゴリズムは、目標ＳＩＲを更新するために代わりにチャネル情報を使用する。
【００１９】
第２のアルゴリズムでは、目標ＳＩＲに何の変更も施されず（ステップ２２０）、方法２００は、ステップ２０２に戻ることによって、ＣＲＣが受信されるまで待機する。ＣＲＣ結果が利用可能になると、ＯＬＰＣアルゴリズムは、ＣＲＣ結果に基づいて目標ＳＩＲを変更する。
【００２０】
第３のアルゴリズムでは、経過時間に応じて、目標ＳＩＲは初期ＯＬＰＣ値に変更され（ステップ２３０）、目標ＳＩＲが更新される（ステップ２１４）。そして、ＣＲＣが受信されるのを待機するため、方法はステップ２０２に戻る。ＣＲＣ結果が利用可能になると、ＯＬＰＣアルゴリズムは、ＣＲＣ結果に基づいて目標ＳＩＲを変更する。
【００２１】
本発明の特徴および要素が好ましい実施形態において特定の組合せで説明されたが、各特徴または要素は、（好ましい実施形態のその他の特徴および要素を伴わずに）単独で、または本発明のその他の特徴および要素を伴うもしくは伴わない様々な組合せで使用されることができる。本発明の具体的な実施形態が示され、説明されたが、本発明の範囲から逸脱することなく、当業者によって多くの修正および変形が施され得る。上の説明は、特定の発明を例示するものであって、決してそれを限定するものではない。
【図面の簡単な説明】
【００２２】
【図１】本発明に従って構成される無線送受信ユニット（ＷＴＲＵ）の概略的なブロック図である。
【図２】本発明による目標ＳＩＲを調整する方法のフロー図である。
【図１】
2007500973.tif 000003
【図２】
2007500973.tif 000004
【国際調査報告】
2007500973.tif 000005